(57)【要約】【課題】コンテンツデータの送信要求を受けてから表示装置に表示されるまでの時間を短縮することが可能な表示システム、情報端末、送信制御プログラム及び送信制御方法を提供することを目的としている。【解決手段】表示装置と、前記表示装置と通信可能な情報端末と、を含む表示システムであって、前記情報端末は、コンテンツデータの識別情報の一覧が表示された表示領域において前記識別情報の選択を受け付ける受付部と、前記選択を受け付けたとき、選択された前記識別情報と対応するコンテンツデータの縮小処理を開始する縮小処理部と、前記縮小処理が施された前記識別情報と対応するコンテンツデータを前記表示装置へ送信する送信部と、を有する。【選択図】図５
2015050631.tif 000002
【特許請求の範囲】
【請求項１】
表示装置と、前記表示装置と通信可能な情報端末と、を含む表示システムであって、
前記情報端末は、
前記表示装置におけるコンテンツデータの再生能力に係る情報に基づき、記憶部に格納されたコンテンツデータが前記表示装置で再生可能か否かを判断する判断部と、
前記判断部により前記表示装置で再生可能と判断された前記コンテンツデータの識別情報の一覧画面を表示させる表示制御部と、
前記一覧画面において選択された前記識別情報と対応するコンテンツデータを前記表示装置へ送信する送信部と、を有することを特徴とする表示システム。
【請求項２】
表示装置と、プログラムと、を含む表示システムであって、
前記プログラムは、前記表示装置と通信可能な情報端末に、
前記表示装置におけるコンテンツデータの再生能力に係る情報に基づき、記憶部に格納されたコンテンツデータが前記表示装置で再生可能か否かを判断する判断手順と、
前記判断手順により前記表示装置で再生可能と判断された前記コンテンツデータの識別情報の一覧画面を表示させる表示制御手順と、
前記一覧画面において選択された前記識別情報と対応するコンテンツデータを前記表示装置へ送信する送信手順と、を実行させることを特徴とする表示システム。
【請求項３】
表示装置と通信可能な情報端末であって、
前記表示装置におけるコンテンツデータの再生能力に係る情報に基づき、記憶部に格納されたコンテンツデータが前記表示装置で再生可能か否かを判断する判断部と、
前記判断部により前記表示装置で再生可能と判断された前記コンテンツデータの識別情報の一覧画面を表示させる表示制御部と、
前記一覧画面において選択された前記識別情報と対応するコンテンツデータを前記表示装置へ送信する送信部と、を有することを特徴とする情報端末。
【請求項４】
表示装置と通信可能な情報端末において実行される選択制御プログラムであって、
前記情報端末に、
前記表示装置におけるコンテンツデータの再生能力に係る情報に基づき、記憶部に格納されたコンテンツデータが前記表示装置で再生可能か否かを判断する判断手順と、
前記判断手順により前記表示装置で再生可能と判断された前記コンテンツデータの識別情報の一覧画面を表示させる表示制御手順と、
前記一覧画面において選択された前記識別情報と対応するコンテンツデータを前記表示装置へ送信する送信手順と、を実行させることを特徴とする選択制御プログラム。
【請求項５】
前記表示制御手順は、
前記記憶部に格納されたコンテンツデータのうち前記表示装置で再生可能と判断されたコンテンツデータの識別情報を表示させ、
前記記憶部に格納されたコンテンツデータのうち前記表示装置で再生不可能と判断されたコンテンツデータの識別情報を非表示とすることを特徴とする請求項４記載の選択制御プログラム。
【請求項６】
前記表示制御手順は、
前記記憶部に格納されたコンテンツデータのうち前記表示装置で再生可能と判断されたコンテンツデータの識別情報を選択可能な状態で表示させ、
前記記憶部に格納されたコンテンツデータのうち、前記表示装置で再生不可能と判断されたコンテンツデータの識別情報を選択不可能な状態で表示させることを特徴とする請求項４記載の選択制御プログラム。
【請求項７】
前記再生能力に係る情報は、前記表示装置において再生可能なコンテンツデータの種類を示す情報と、再生可能なコンテンツデータのファイル形式を示す情報との何れか又は両方を含むことを特徴とする請求項４ないし６の何れか一項に記載の選択制御プログラム。
【請求項８】
前記表示装置から前記表示装置の再生能力に係る情報を取得する取得手順を有し、
前記判断手順は、
前記コンテンツデータの属性情報と、前記再生能力に係る情報とを比較し、前記コンテンツデータの属性情報が前記再生能力に係る情報と対応する場合に、前記コンテンツデータを前記表示装置で再生可能と判断することを特徴とする請求項４ないし７の何れか一項に記載の選択制御プログラム。
【請求項９】
前記表示装置から前記表示装置の機種に係る情報を取得する機種情報取得手順と、
前記表示装置の機種に係る情報と前記表示装置の前記再生能力に係る情報とが対応付けられたテーブルが格納された記憶部を参照し、前記再生能力に係る情報を取得する再生能力情報取得手順と、を有することを特徴とする請求項４ないし７の何れか一項に記載の選択制御プログラム。
【請求項１０】
表示装置と、前記表示装置と通信可能な情報端末と、を含む表示システムにおける選択制御方法であって、
前記情報端末による
前記表示装置におけるコンテンツデータの再生能力に係る情報に基づき、記憶部に格納されたコンテンツデータが前記表示装置で再生可能か否かを判断する判断手順と、
前記判断手順により前記表示装置で再生可能と判断された前記コンテンツデータの識別情報の一覧画面を表示させる表示制御手順と、
前記一覧画面において選択された前記識別情報と対応するコンテンツデータを前記表示装置へ送信する送信手順と、を有することを特徴とする送信制御方法。
【発明の詳細な説明】
【技術分野】
【０００１】
本発明は、コンテンツデータの表示システム、情報端末、選択制御プログラム及び選択制御方法に関する。
【背景技術】
【０００２】
従来から、情報端末において選択されたコンテンツデータを表示装置に提供し、表示装置でコンテンツデータを再生させるシステムが知られている。
【０００３】
従来のシステムでは、例えば、情報端末において選択されたコンテンツデータの再生要求が為されると、選択されたコンテンツデータが表示装置で再生可能か否かを判断し、表示不可能の場合には情報端末に警告を出力する技術が知られている（特許文献１）。
【発明の概要】
【発明が解決しようとする課題】
【０００４】
上記従来の技術では、情報端末においてコンテンツデータが選択されるまで、該コンテンツデータが表示装置で再生可能か否か判断できない。したがって従来の技術では、例えばユーザが所望のコンテンツデータを選択して再生要求を行っても、選択したコンテンツデータが再生できない場合がある。この場合には、例えばコンテンツデータを選択し直す等の操作が必要となり、操作が煩雑であった。
【０００５】
本発明は、上記事情を鑑みてこれを解決すべく為されたものであり、操作性を向上させることが可能な表示システム、情報端末、選択制御プログラム及び選択制御方法を提供することを目的としている。
【課題を解決するための手段】
【０００６】
本発明は、上記目的を達成すべく以下の如き構成を採用した。
【０００７】
本発明は、表示装置と、前記表示装置と通信可能な情報端末と、を含む表示システムであって、前記情報端末は、前記表示装置におけるコンテンツデータの再生能力に係る情報に基づき、記憶部に格納されたコンテンツデータが前記表示装置で再生可能か否かを判断する判断部と、前記判断部により前記表示装置で再生可能と判断された前記コンテンツデータの識別情報の一覧画面を表示させる表示制御部と、前記一覧画面において選択された前記識別情報と対応するコンテンツデータを前記表示装置へ送信する送信部と、を有する。
【発明の効果】
【０００８】
本発明によれば、操作性を向上させることができる。
【図面の簡単な説明】
【０００９】
【図１】第一の実施形態の表示システムのシステム構成の一例を示す図である。
【図２】第一の実施形態の表示システムの利用シーンの一例を説明する図である。
【図３】第一の実施形態の表示システムが有する各装置のハードウェア構成の一例を示す図である。
【図４】第一の実施形態の表示システムが有する各装置の機能構成の一例を示す図である。
【図５】第一の実施形態の表示システムの動作を説明するシーケンス図である。
【図６】第一の実施形態の一覧画面の表示処理を説明するフローチャートである。
【図７】第一の実施形態の一覧画面の例を示す第一の図である。
【図８】第一の実施形態の一覧画面の例を示す第二の図である。
【図９】第二の実施形態の一覧画面の表示処理を説明するフローチャートである。
【図１０】第二の実施形態の一覧画面の例を示す第一の図である。
【図１１】第二の実施形態の一覧画面の例を示す第二の図である。
【図１２】第三の実施形態の表示システムが有する各装置の機能構成の一例を示す図である。
【発明を実施するための形態】
【００１０】
本発明は、情報端末におけるコンテンツデータの一覧画面に、表示装置で再生可能と判断されたコンテンツデータを表示させることで、コンテンツデータの選択における操作性を向上させる。
【００１１】
（第一の実施形態）
以下に図面を参照して本発明の第一の実施形態について説明する。図１は、第一の実施形態の表示システムのシステム構成の一例を示す図である。
【００１２】
本実施例の表示システム１００は、情報端末２００と表示装置３００とを有し、情報端末２００と表示装置３００とはネットワーク等のデータ伝送路Ｎを介して接続される。
【００１３】
本実施例の情報端末２００は、例えば３Ｇ（3rd Generation）,ＬＴＥ（Long Term Evolution），４Ｇ（4th Generation）の規格に準ずる通信方式による通信を行っても良い。また本実施形態の情報端末２００は、例えばＺｉｇＢｅｅやＢｌｕｅｔｏｏｔｈ（登録商標）等に準ずる通信方式よる通信を行っても良い。
【００１４】
本実施形態の情報端末２００は、例えばスマートフォンや携帯電話等の無線通信端末であっても良い。また本実施形態の情報端末２００は、例えばタブレットＰＣ（Personal Computer）やノート型ＰＣであっても良い。本実施形態の情報端末２００は、表示装置３００と通信を行えるものであれば良い。
【００１５】
本実施形態の情報端末２００は、選択制御プログラム２１０がインストールされている。本実施形態の情報端末２００は、選択制御プログラム２１０を実行し、情報端末２００において選択されたコンテンツデータを後述する再生制御情報と共に表示装置３００へ送信する。
【００１６】
本実施形態の表示装置３００は、再生プログラム３１０がインストールされている。本実施形態の表示装置３００は、再生プログラム３１０を実行することで、情報端末２００から送信されたコンテンツデータを再生制御情報に基づき表示させる。
【００１７】
本実施形態の表示装置３００は、情報端末２００から送信された再生制御情報に基づきコンテンツデータを表示させることが可能な表示機能を有していれば良い。具体的には本実施例の表示装置３００は、例えばプロジェクタやディスプレイ等である。
【００１８】
以下の本実施形態の説明では、表示装置３００が再生制御情報にしたがってコンテンツデータを表示させることを、コンテンツデータを再生する、と表現する。
【００１９】
また本実施形態のコンテンツデータとは、例えば画像データや動画データ等である。コンテンツデータとなる画像データは、例えば１枚の画像の画像データであっても良いし、複数枚の画像の画像データであっても良い。本実施形態のコンテンツデータは、表示装置３００に表示させることが可能なデータであれば良い。
【００２０】
以下の本実施形態の説明では、情報端末２００から表示装置３００へ送信され、表示装置３００で再生されるコンテンツデータを再生コンテンツデータと呼ぶ。言い換えれば再生コンテンツデータとは、情報端末２００において表示装置３００へ送信するために選択されたコンテンツデータである。
【００２１】
また以下の本実施形態の説明では、例えば所定の記憶領域に格納されている複数のコンテンツデータをコンテンツデータと呼び、コンテンツデータに含まれるコンテンツデータを単にコンテンツデータと呼ぶ。
【００２２】
以下に図２を参照して本実施形態の表示システム１００の利用シーンについて説明する。図２は、第一の実施形態の表示システムの利用シーンの一例を説明する図である。
【００２３】
図２の例では、情報端末２００をスマートフォン又はタブレットＰＣとし、表示装置３００をプロジェクタ３０１とスクリーン３０２を含む構成とし、表示システム１００を例えば電子看板（Digital Signage）に用いた場合を示している。
【００２４】
本実施形態の情報端末２００は、ユーザによりコンテンツデータからコンテンツデータが選択され、選択されたコンテンツデータ（再生コンテンツデータ）の再生の仕方が設定されると、この設定に基づき選択されたコンテンツデータの再生制御情報を生成する。そして情報端末２００は、再生コンテンツデータと再生制御情報とをプロジェクタ３０１へ送信する。プロジェクタ３０１は、受信した再生コンテンツデータを記憶部に保存し、再生制御情報にしたがって再生コンテンツデータを再生する。
【００２５】
本実施形態の表示システム１００では、ユーザは、１度再生コンテンツデータと再生制御情報を表示装置３００に送信すれば、所望の設定通りに再生コンテンツデータを継続して再生することができる。
【００２６】
すなわち本実施形態の表示システム１００を電子看板等に適用した場合、自動的にユーザが望むようにコンテンツデータが再生されるため、ユーザはコンテンツデータの表示順や表示の切り替え等をその都度設定する手間を省くことができる。
【００２７】
また本実施形態では、情報端末２００におけるコンテンツデータの一覧画面に、表示装置３００において再生可能なコンテンツデータの識別情報の一覧を表示させる。具体的には本実施形態の情報端末２００は、表示装置３００から表示装置３００の再生能力に係る情報を取得し、再生能力に係る情報と記憶領域２２０に格納された各コンテンツデータの属性情報とを比較する。本実施形態の情報端末２００は、再生能力に係る情報と属性情報とが対応しているコンテンツデータを表示装置３００で再生可能なコンテンツデータと判断する。そして情報端末２００は、再生可能と判断されたコンテンツデータを識別する識別情報の一覧を、コンテンツデータの一覧画面として表示させる。
【００２８】
本実施形態では、この構成により、情報端末２００において選択されたコンテンツデータは、全て表示装置３００で再生可能なコンテンツデータとなる。よって本実施形態では、選択されたコンテンツデータが再生不可能であるために、再度別のコンテンツデータを選択する等の操作が不要となり、コンテンツデータの選択に係る操作性を向上させることができる。尚表示装置３００の再生能力に係る情報と、コンテンツデータの属性情報の詳細は後述する。
【００２９】
次に図３を参照して本実施形態の表示システム１００の有する各装置のハードウェア構成を説明する。図３は、第一の実施形態の表示システムが有する各装置のハードウェア構成の一例を示す図である。
【００３０】
本実施形態の情報端末２００は、それぞれバスＢ１で相互に接続されているＣＰＵ（Central Processing Unit）２１、記憶部２２、入力部２３、外部インターフェイス部２４、ネットワーク制御部２５、出力部２６、ドライバ２７を有する。
【００３１】
ＣＰＵ２１は、情報端末２００の各種動作を制御する。記憶部２２は、情報端末２００の動作や演算に係る各種情報や、情報端末２００で実行される各種プログラム等が格納される。入力部２３は、各種信号や情報を入力するために用いられる。入力部２３は、例えばタッチパネル等の表示機能を有していても良い。また本実施形態の入力部２３は、例えばポインティングデバイスやキーボード等であっても良い。
【００３２】
本実施形態の外部インターフェイス部２４は、例えばＵＳＢ（Universal Serial Bus）メモリスロットやＮＦＣ（Near field communication）等である。ネットワーク制御部２５は、モデム，ＬＡＮカード等を含み、ネットワークに接続する為に用いられる。
出力部２６は、情報端末２００から各種情報報の出力するために用いられる。本実施形態の出力部２６は、例えばディスプレイ等であっても良いし、外部装置へ各種データを送信する送信部であっても良い。
【００３３】
本実施形態の選択制御プログラム２１０は、情報端末２００を制御する各種プログラムの少なくとも一部である。選択制御プログラム２１０は例えば記録媒体２８の配布やネットワークからのダウンロードなどによって提供される。選択制御プログラム２１０を記録した記録媒体２８は、ＣＤ−ＲＯＭ、フレキシブルディスク、光磁気ディスク等の様に情報を光学的，電気的或いは磁気的に記録する記録媒体、ＲＯＭ、フラッシュメモリ等の様に情報を電気的に記録する半導体メモリ等、様々なタイプの記録媒体を用いることができる。
【００３４】
また選択制御プログラム２１０を記録した記録媒体２８がドライバ２７にセットされると、選択制御プログラム２１０は記録媒体２８からドライバ２７を介して記憶部２２にインストールされる。ネットワークからダウンロードされた選択制御プログラム２１０は、ネットワーク制御部２５を介して記憶部２２にインストールされる。
【００３５】
記憶部２２は、インストールされた選択制御プログラム２１０を格納すると共に、必要なファイル，データ等を格納する。ＣＰＵ２１は記憶部２２に格納された選択制御プログラム２１０に従って、後述するような各種処理を実現している。
【００３６】
本実施形態の表示装置３００は、それぞれバスＢ２で相互に接続されているＣＰＵ３１、記憶部３２、入力部３３、外部インターフェイス部３４、ネットワーク制御部３５、表示部３６、ドライバ２７を有する。
【００３７】
ＣＰＵ３１は、表示装置３００の各種動作を制御する。記憶部３２は、表示装置３００の動作や演算に係る各種情報や、表示装置３００で実行される各種プログラム、表示装置３００で再生されるコンテンツデータ等が格納される。入力部３３は、各種信号や情報を入力するために用いられる。入力部３３は、例えば表示装置３００を操作する操作部材等である。
【００３８】
本実施形態の外部インターフェイス部３４は、例えばＵＳＢ（Universal Serial Bus）メモリスロットやＮＦＣ（Near field communication）等である。ネットワーク制御部３５は、表示装置３００のネットワークへの接続を制御する。表示部３６は、表示装置３００が表示指示を受けたコンテンツデータを表示させる。
【００３９】
本実施形態の再生プログラム３１０は、表示装置３００を制御する各種プログラムの少なくとも一部である。再生プログラム３１０は例えば記録媒体３８の配布やネットワークからのダウンロードなどによって提供される。また再生プログラム３１０を記録した記録媒体３８がドライバ３７にセットされると、再生プログラム３１０は記録媒体３８からドライバ３７を介して記憶部３２にインストールされる。ネットワークからダウンロードされた再生プログラム３１０は、ネットワーク制御部３５を介して記憶部３２にインストールされる。
【００４０】
記憶部３２は、インストールされた再生プログラム３１０を格納すると共に、必要なファイル，データ等を格納する。ＣＰＵ３１は記憶部３２に格納された再生プログラム３１０に従って、後述するような各種処理を実現している。
【００４１】
次に、図４を参照して本実施形態の表示システム１００が有する各装置の機能構成について説明する。図４は、第一の実施形態の表示システムが有する各装置の機能構成の一例を示す図である。
【００４２】
本実施形態の情報端末２００は、記憶部２２内に設けられた所定の記憶領域２２０を有する。記憶領域２２０には、例えばコンテンツデータ２２１と、設定項目情報２２２とが格納されている。コンテンツデータ２２１は、例えば表示装置３００へ表示することが可能なデータであり、例えば画像データや動画データ等である。本実施形態のコンテンツデータ２２１は、複数のコンテンツデータを含んでも良いし、１つのコンテンツデータであっても良い。
【００４３】
本実施形態の設定項目情報２２２は、再生制御情報においてユーザにより設定される項目を示す情報である。
【００４４】
また本実施形態の情報端末２００は、後述する処理により、表示装置３００において再生可能と判断された再生可能コンテンツデータ２２３を記憶領域２２０に一時的に保持させる。
【００４５】
また本実施形態の情報端末２００では、後述する再生能力情報取得部２１１が表示装置３００から再生能力情報３３１を取得すると、取得した再生能力情報３３１を記憶領域２２０に格納する。
【００４６】
本実施形態の情報端末２００は、再生能力情報取得部２１１、再生可否判断部２１２、表示制御部２１３、入力受付部２１４、再生制御情報生成部２１５、送信部２１６を有する。
【００４７】
本実施形態の再生能力情報取得部２１１は、表示装置３００に対して再生能力情報３３１の取得要求を行い、表示装置３００から再生能力情報３３１を取得し、記憶領域２２０に格納する。
【００４８】
本実施形態の再生可否判断部２１２は、再生能力情報３３１に基づき、コンテンツデータ２２１が表示装置３００で再生可能か否かを判断する。より具体的には再生可否判断部２１２は、コンテンツデータ２２１の属性情報を取得し、属性情報と再生能力情報３３１とを比較する。そして再生可否判断部２１２は、属性情報に含まれるコンテンツデータ２２１の種類や形式が、再生能力情報３３１に含まれる場合に、コンテンツデータ２２１は表示装置３００で再生可能であると判断する。
【００４９】
本実施形態の再生可否判断部２１２は、表示装置３００で再生可能と判断したコンテンツデータ２２１を、再生可能コンテンツデータ２２３として、記憶領域２２０に一時的に保持させる。本実施形態の再生可能コンテンツデータ２２３は、複数のコンテンツデータ２２１であっても良いし、１つのコンテンツデータ２２１であっても良い。
【００５０】
本実施形態の表示制御部２１３は、情報端末２００の出力部２６であるディスプレイ等に、再生可能コンテンツデータ２２３の識別情報の一覧画面を表示させる。また本実施形態の表示制御部２１３は、設定項目情報２２２に含まれる項目の値を設定させる設定画面等を表示させる。
【００５１】
尚本実施形態の再生可能コンテンツデータ２２３の識別情報とは、例えばコンテンツデータが画像データや動画データであった場合には、サムネイル画像であっても良いし、コンテンツデータのファイル名であっても良い。本実施形態のコンテンツデータの識別情報は、コンテンツデータを識別できる情報であれば良い。
【００５２】
本実施形態の入力受付部２１４は、再生可能コンテンツデータ２２３の識別情報の一覧画面において、コンテンツデータ２２１の選択を受け付ける。本実施形態では、この一覧画面において選択されて送信要求が行われたコンテンツデータ２２１が、再生コンテンツデータ３３２として表示装置３００へ送信される。
【００５３】
また本実施形態の入力受付部２１４は、再生制御情報に含まれる各種の項目の値を設定させる設定画面において、項目の値の入力を受け付ける。
【００５４】
本実施形態の再生制御情報生成部２１５は、選択された再生コンテンツデータ３３２に含まれる情報に基づき、再生制御情報３３３を生成する。再生制御情報３３３とは、例えば再生コンテンツデータ３３２に含まれるコンテンツデータ２２１の再生の順番や再生時間、表示の切り替え方等に関する情報が含まれる。
【００５５】
本実施形態では、再生制御情報３３３に含まれる所定の項目の値は、設定画面においてユーザにより設定された値となる。所定の項目とは、例えば再生コンテンツデータ３３２に含まれるコンテンツデータ２２１の再生の順番や再生時間、表示の切り替え方であっても良い。
【００５６】
本実施形態の再生制御情報生成部２１５は、一覧画面において再生コンテンツデータ３３２が選択された際に、表示制御部２１３により上述した所定の項目の設定画面を表示させ、入力された項目の値に基づき再生制御情報３３３を生成しても良い。また本実施形態の再生制御情報生成部２１５は、任意のタイミングで設定された所定の項目の値を保持しておき、再生コンテンツデータ３３２が選択された際に、保持していた項目の値を用いて再生制御情報３３３を生成しても良い。本実施形態の再生制御情報３３３は、再生コンテンツデータ３３２と対応した情報として表示装置３００へ送信される。
【００５７】
送信部２１６は、再生制御情報と再生コンテンツデータ３３２とを表示装置３００へ送信する。
【００５８】
尚本実施形態の情報端末２００は、コンテンツデータ２２１が記憶部２２内の記憶領域２２０に格納されているものとしたが、これに限定されない。コンテンツデータ２２１は、例えば情報端末２００が読取可能な可搬型の記録媒体に格納されていても良いし、情報端末２００と通信が可能な外部装置に格納されていても良い。
【００５９】
本実施形態の表示装置３００は、再生能力情報送信部３１１、保存制御部３１２、検証部３１３、通知部３１４を有する。また本実施形態の表示装置３００は、表示部３６に対する表示を制御する表示制御部３２０を有する。
【００６０】
さらに本実施形態の表示装置３００は、再生能力情報３３１と、再生コンテンツデータ３３２と、再生制御情報３３３とが格納される記憶領域３３０を有する。
【００６１】
本実施形態の再生能力情報３３１とは、表示装置３００におけるコンテンツデータの再生能力に係る情報であり、例えば表示装置３００において再生可能なコンテンツデータの種類や形式を示す。より具体的には、例えば再生能力情報３３１は、例えば表示装置３００で再生可能な画像データや音声データのファイル形式、動画データのビットレート、コーデック、解像度等を含む。
【００６２】
本実施形態の再生コンテンツデータ３３２及び再生制御情報３３３は、情報端末２００から受信した情報である。
【００６３】
本実施形態の記憶領域３３０は、例えば表示装置３００の有する記憶部３２に設けられても良いし、表示装置３００が読取可能な可搬型の記録媒体に設けられても良い。また記憶領域３３０は、表示装置３００と通信が可能な外部装置等に設けられても良い。
【００６４】
本実施形態の再生能力情報送信部３１１は、情報端末２００からの再生能力情報３３１の取得要求に応じて再生能力情報３３１を記憶領域３３０から読み出し、情報端末２００へ送信する。
【００６５】
本実施形態の保存制御部３１２は、情報端末２００から受信した再生コンテンツデータ３３２と再生制御情報３３３とを記憶領域３３０に格納する。また本実施形態の保存制御部３１２は、情報端末２００から再生コンテンツデータ３３２の再生指示を受けると、再生制御情報３３３に含まれる各項目の値を表示装置３００に設定する。
【００６６】
検証部３１３は、再生制御情報３３３に基づき、再生コンテンツデータ３３２が表示装置３００において再生可能か否かを検証する。検証部３１３の処理の詳細は後述する。通知部３１４は、検証結果を情報端末２００に通知する。
【００６７】
次に図５を参照して本実施形態の表示システム１００の動作を説明する。図５は、第一の実施形態の表示システムの動作を説明するシーケンス図である。
【００６８】
本実施形態の表示システム１００において、情報端末２００は、ユーザの操作によるコンテンツデータ２２１の一覧表示要求を受けると（ステップＳ５０１）、選択制御プログラム２１０を起動させ、再生能力情報３３１を取得する。具体的には情報端末２００は、表示装置３００に対して再生能力情報３３１の取得要求を送信する（ステップＳ５０２）。表示装置３００は、この取得要求を受けて、再生能力情報送信部３１１により、再生能力情報３３１を情報端末２００へ送信する（ステップＳ５０３）。本実施形態では、例えば再生能力情報３３１を表示装置３００のＳＳＩＤ（Service Set Identifier）に含めて情報端末２００へ送信しても良い。すなわち本実施形態の情報端末２００は、表示装置３００と接続したとき、再生能力情報３３１を取得する。
【００６９】
情報端末２００は、再生能力情報３３１を取得すると、コンテンツデータ２２１から再生可能コンテンツデータ２２３の識別情報の一覧画面を表示させる（ステップＳ５０４）。ステップＳ５０４における一覧画面の表示処理の詳細は後述する。
【００７０】
続いて情報端末２００は、入力受付部２１４により、一覧画面におけるコンテンツデータ２２１の選択を受け付ける（ステップＳ５０５）。ここで選択されるコンテンツデータ２２１は、再生可能コンテンツデータ２２３に含まれるコンテンツデータである。
【００７１】
情報端末２００は、コンテンツデータ２２１が選択されると、選択を受け付けたことをユーザに通知する（ステップＳ５０６）。ここでのユーザに対する通知の詳細は後述する。
【００７２】
本実施形態では、ユーザによるコンテンツデータ２２１の選択操作が終了するまで、ステップＳ５０５とステップＳ５０６の処理を繰り返す。
【００７３】
続いて情報端末２００は、再生制御情報３３３の所定の項目の値の設定画面を表示させ、入力された各項目の値を入力受付部２１４により受け付ける（ステップＳ５０７）。入力された各項目の値は、該当する項目と対応付けられて保持される。
【００７４】
続いて情報端末２００は、ユーザにより、再生コンテンツデータ３３２の送信要求を受け付けると（ステップＳ５０８）、再生制御情報生成部２１５により、再生制御情報３３３を生成する（ステップＳ５０９）。具体的には本実施形態の再生制御情報生成部２１５は、送信要求を受けると、保持していた項目の値を所定のフォーマットに代入して再生制御情報３３３を生成する。
【００７５】
続いて情報端末２００は、送信部２１６により、再生制御情報３３３を表示装置３００へ送信する（ステップＳ５１０）。
【００７６】
表示装置３００は、情報端末２００から再生制御情報３３３を受信すると、保存制御部３１２により再生制御情報３３３を記憶領域３３０に格納する（ステップＳ５１１）。
【００７７】
続いて情報端末２００は、送信部２１６により、ステップＳ５０４において表示された一覧画面から選択されたコンテンツデータ２２１を読み出し、再生コンテンツデータ３３２として表示装置３００へ送信する（ステップＳ５１２）。表示装置３００は、保存制御部３１２により、再生コンテンツデータ３３２を記憶領域３３０に格納する（ステップＳ５１３）。
【００７８】
本実施形態では、例えば記憶領域３３０内に情報端末２００と対応したフォルダ等が設けられており、再生コンテンツデータ３３２と再生制御情報３３３とはこのフォルダに格納されても良い。
【００７９】
続いて表示装置３００は、通知部３１４により、記憶領域３３０への再生コンテンツデータ３３２の格納（アップロード）が完了したことを情報端末２００へ通知する（ステップＳ５１４）。
【００８０】
情報端末２００は、この通知を受けると、表示装置３００に対して再生コンテンツデータ３３２の再生指示を送信する（ステップＳ５１５）。本実施形態の表示装置３００は、情報端末２００から再生指示を受信すると、再生制御情報３３３にしたがった再生コンテンツデータ３３２の再生が実行されるように、再生制御情報３３３に含まれる各項目の値を自身へ設定する。
【００８１】
また表示装置３００は、再生指示を受けると、検証部３１３により再生制御情報３３３にしたがった再生コンテンツデータ３３２の再生が行えるか否かの検証を行う（ステップＳ５１６）。
【００８２】
本実施形態の通知部３１４は、検証部３１３による検証結果を情報端末２００へ通知する（ステップＳ５１７）。具体的には本実施形態の通知部３１４は、例えば再生コンテンツデータ３３２が再生可能であることが検証された場合、通信が成功したことを情報端末２００へ通知しても良い。通知部３１４からの通知を受けると、情報端末２００は、通知結果を表示させる（ステップＳ５１８）。
【００８３】
また通知部３１４は、再生コンテンツデータ３３２の再生が不可能である場合、通信に失敗したことを情報端末２００へ通知する。再生が不可能である場合とは、例えば再生制御情報３３３が表示装置３００では読み取れないフォーマットであった場合、再生制御情報３３３にコンテンツデータ２２１の格納場所を示す情報が含まれていない場合等である。
【００８４】
本実施形態では、例えば通信に失敗した場合に、再生コンテンツデータ３３２の再送を促すメッセージを情報端末２００に表示させても良い。
【００８５】
ステップＳ５２５に続いて表示装置３００は、再生コンテンツデータ３３２を再生制御情報３３３にしたがって再生する（ステップＳ５１９）。
【００８６】
以下に図６を参照して図５のステップＳ５０４における一覧画面の表示処理について説明する。図６は、第一の実施形態の一覧画面の表示処理を説明するフローチャートである。
【００８７】
本実施形態の情報端末２００は、表示装置３００から再生能力情報３３１を受信すると（ステップＳ６０１）、記憶領域２２０に格納された全てのコンテンツデータ２２１について、表示装置３００で再生可能か否かを判断する処理を開始する（ステップＳ６０２）。
【００８８】
本実施形態の再生可否判断部２１２は、記憶領域２２０に格納されたコンテンツデータ２２１を読み出す（ステップＳ６０３）。続いて再生可否判断部２１２は、読み出したコンテンツデータ２２１の属性情報を取得する（ステップＳ６０４）。
【００８９】
ここで本実施形態の属性情報について説明する。本実施形態のコンテンツデータ２２１の属性情報とは、例えばコンテンツデータ２２１のファイル名、ファイルの種類、ファイル形式、コンテンツデータ２２１の格納場所、ファイルサイズ、コンテンツデータ２２１の更新日時等の項目を有する。またコンテンツデータ２２１が動画データであった場合には、属性情報は、動画データのビットレート、コーデック、解像度等を含む。
【００９０】
本実施形態の再生可否判断部２１２は、再生能力情報３３１と、読み出したコンテンツデータ２２１の属性情報とを比較し、コンテンツデータ２２１が表示装置３００で再生可能か否かを判断する（ステップＳ６０５）。
【００９１】
より具体的には再生可否判断部２１２は、再生能力情報３３１に、ステップＳ６０４で取得した属性情報に示されるコンテンツデータ２２１のファイル種類やファイル形式と一致するファイルの種類やファイル形式が存在するか否かを判断する。
【００９２】
そして一致するファイルの種類やファイル形式が存在する場合、再生可否判断部２１２は、ステップＳ６０３で読み出したコンテンツデータ２２１は、表示装置３００にて再生可能と判断する。また再生可否判断部２１２は、一致するファイルの種類やファイル形式が存在しない場合、コンテンツデータ２２１は表示装置３００で再生不可能と判断する。
【００９３】
ステップＳ６０５において再生可能と判断された場合、表示制御部２１３は、コンテンツデータ２２１を再生可能コンテンツデータ２２３として記憶領域２２０に一時的に保持し、コンテンツデータ２２１の識別情報を一覧画面に表示させる（ステップＳ６０６）。このとき表示制御部２１３は、コンテンツデータ２２１を一覧画面において選択可能な状態で表示させる。
【００９４】
本実施形態における選択可能な状態とは、例えば一覧画面におけるコンテンツデータ２２１の識別情報が表示された表示領域で検出されたユーザの接触を、コンテンツデータ２２１の選択指示として受け付ける状態である。尚選択指示は、ユーザの接触の検出に限定されない。例えばコンテンツデータ２２１の識別情報が表示された表示領域において検出された、ポインティングデバイス等を用いた何らかの操作をコンテンツデータ２２１の選択指示として受け付けても良い。
【００９５】
ステップＳ６０５において再生不可能と判断された場合、再生可否判断部２１２は、ステップＳ６０３で読み出したコンテンツデータ２２１の識別情報を非表示とし、コンテンツデータ２２１に対する処理を終了する（ステップＳ６０７）。
【００９６】
本実施形態の情報端末２００は、再生可否判断部２１２と表示制御部２１３によるステップＳ６０２からステップＳ６０７の処理を、記憶領域２２０に格納されたコンテンツデータ２２１全てに対して繰り返す。
【００９７】
その結果、本実施形態の情報端末２００には、表示装置３００において再生可能な再生可能コンテンツデータ２２３の識別情報の一覧画面が表示される。
【００９８】
図７は、第一の実施形態の一覧画面の例を示す第一の図である。
【００９９】
本実施形態の一覧画面７１では、図６の処理で表示装置３００において再生可能と判断された再生可能コンテンツデータ２２３の識別情報のみが表示される。図７では、再生可能コンテンツデータ２２３の識別情報を再生可能コンテンツデータ２２３のサムネイルとした。
【０１００】
尚本実施形態において、再生可能コンテンツデータ２２３の識別情報を再生可能コンテンツデータのファイル名とした場合には、一覧画面７１はファイル名の一覧がリストとして表示されても良い。
【０１０１】
図８は、第一の実施形態の一覧画面の例を示す第二の図である。
【０１０２】
図８に示す一覧画面７１Ａでは、再生可能コンテンツデータ２２３の識別情報の一覧と、再生不可能と判断されたコンテンツデータ２２１の有無を示すメッセージ７２とが表示されている。本実施形態では、再生不可能と判断されたコンテンツデータ２２１が有る場合には、例えばメッセージ７２においてその個数を通知しても良い。
【０１０３】
このようにメッセージ７２を一覧画面７１Ａに表示させることで、再生不可能なコンテンツデータ２２１の存在をユーザに認識させることができる。したがって、例えばユーザが選択しようとしていたコンテンツデータ２２１の識別情報が一覧画面７１Ａに表示されない場合、ユーザに自身が選択しようとしていたコンテンツデータ２２１が再生不可能であることを容易に判断させることができる。
【０１０４】
尚本実施形態では、記憶領域２２０から各コンテンツデータ２２１に対し、表示装置３００における再生可否の判断に応じて一覧画面に識別情報を表示させる処理を順次実行するものとして説明したが、これに限定されない。
【０１０５】
本実施形態では、例えば記憶領域２２０に格納された全てのコンテンツデータ２２１に対し、先に再生可否判断部２１２による再生可否の判断を実行しても良い。この場合表示制御部２１３は、再生可否判断部２１２が全てコンテンツデータ２２１に対して処理を行った後に、再生可能と判断されたコンテンツデータ２２１を抽出し、一覧画面にサムネイルを表示させれば良い。
【０１０６】
また本実施形態では、情報端末２００が表示装置３００と接続したときに再生能力情報３３１を取得するものとしたが、これに限定されない。本実施形態の再生能力情報３３１は、例えば情報端末２００の記憶領域２２０に予め格納されていても良い。この場合再生能力情報取得部２１１は、選択制御プログラム２１０が起動した際に、格納された再生能力情報３３１を読み出しても良い。
【０１０７】
また本実施形態の表示システム１００には、例えば再生能力が異なる表示装置３００Ａと表示装置３００Ｂとが含まれていても良い。この場合情報端末２００は、例えば表示装置３００Ａ，３００Ｂを識別する識別情報と、各表示装置の再生能力情報３３１とが対応付けられた再生能力情報テーブルを有している。
【０１０８】
そして情報端末２００は、表示システム１００に含まれる表示装置をユーザに選択させる選択画面を表示させ、再生能力情報テーブルを参照して選択された表示装置の再生能力情報３３１を取得しても良い。この場合情報端末２００には、選択された表示装置に対応した再生可能コンテンツデータ２２３の識別情報の一覧画面が表示される。またこの場合情報端末２００は、一度取得した再生能力情報３３１を表示装置３００を識別する機種情報と対応付けて、再生能力情報テーブルに蓄積しても良い。
【０１０９】
また本実施形態では、再生可否判断部２１２による処理の実行後に表示制御部２１３により一覧画面７１を表示させるものとしたが、これに限定されない。例えば再生可否判断部２１２は、コンテンツデータ２２１の一覧画面が表示された状態で、ユーザの指示を受けて処理を実行しても良い。この場合、表示制御部２１３は、一覧画面において再生可否判断部２１２により再生不可能と判断されたコンテンツデータ２２１の識別情報を、選択不可能な状態に切り替えても良いし、非表示としても良い。
【０１１０】
以上のように本実施形態では、コンテンツデータ２２１の一覧表示の要求を受けると、記憶領域２２０に格納されたコンテンツデータ２２１が表示装置３００で再生可能か否か判断し、再生可能なコンテンツデータ２２１のみを一覧として表示させる。すなわち一覧画面７１で選択されたコンテンツデータ２２１は、全て表示装置３００で再生可能である。よって本実施形態では、コンテンツデータ２２１の選択後に選択したコンテンツデータ２２１が再生不可能であったことが判明するということがなくなり、コンテンツデータ２２１の選択に係る操作性を向上させることができる。
【０１１１】
（第二の実施形態）
以下に図面を参照して本発明の第二の実施形態について説明する。本発明の第二の実施形態は、一覧画面の表示処理が第一の実施形態と相違する。よって以下の第二の実施形態の説明では、第一の実施形態との相違点についてのみ説明し、第一の実施形態と同様の機能構成を有するものには第一の実施形態の説明で用いた符号と同様の符号を付与し、その説明を省略する。
【０１１２】
図９は、第二の実施形態の一覧画面の表示処理を説明するフローチャートである。
【０１１３】
図９のステップＳ９０１からステップＳ９０６までの処理は、図６のステップＳ６０１からステップＳ６０６までの処理と同様であるから、説明を省略する。
【０１１４】
本実施形態では、ステップＳ９０６でコンテンツデータ２２１の識別情報を選択可能に表示させると、後述するステップＳ９０８へ進む。
【０１１５】
ステップＳ９０５において、コンテンツデータ２２１が再生可否判断部２１２により再生不可能と判断された場合、表示制御部２１３は、このコンテンツデータ２２１の識別情報を選択不可能な状態で表示させる（ステップＳ９０７）。
【０１１６】
尚選択不可能な状態とは、例えばコンテンツデータ２２１の識別情報が表示された表示領域において、ユーザの接触やポインティングデバイス等による操作が検出された場合も、コンテンツデータ２２１の選択指示として受け付けない状態である。
【０１１７】
また選択不可能な状態とは、例えばコンテンツデータ２２１の識別情報が表示された表示領域におけるユーザの接触やポインティングデバイス等による操作の検出を行わない状態であっても良い。
【０１１８】
続いて情報端末２００は、コンテンツデータ２２１に対する処理を終了する（ステップＳ９０８）。情報端末２００は、再生可否判断部２１２と表示制御部２１３によるステップＳ９０２からステップＳ９０８の処理を、記憶領域２２０に格納されたコンテンツデータ２２１全てに対して繰り返す。
【０１１９】
図１０は、第二の実施形態の一覧画面の例を示す第一の図である。
【０１２０】
本実施形態の一覧画面１０１では、図９の処理で表示装置３００において再生可能と判断された再生可能コンテンツデータ２２３の識別情報が選択可能な状態で表示されている。また一覧画面１０１では、再生不可能と判断されたコンテンツデータ２２１の識別情報が選択不可能な状態で表示されている。
【０１２１】
すなわち本実施形態の表示制御部２１３は、再生可能コンテンツデータ２２３の識別情報と、再生不可能と判断されたコンテンツデータ２２１の識別情報のそれぞれを、表示の形式を異ならせて表示させている。
【０１２２】
一覧画面１０１において、再生不可能なコンテンツデータ２２１の識別情報をコンテンツデータ２２１のサムネイル１０２、１０３、１０４とした場合、サムネイル１０２、１０３、１０４には、再生不可能であることを示すメッセージが重畳されて表示されても良い。また一覧画面１０１において、サムネイル１０２、１０３、１０４のみをモノクロ表示にさせる等としても良い。
【０１２３】
本実施形態では、一覧画面１０１において、再生不可能なコンテンツデータ２２１をユーザが視認できるように、再生不可能なコンテンツデータ２２１の識別情報と、再生可能コンテンツデータ２２３の識別情報とが区別されて表示されていれば良い。
【０１２４】
図１１は、第二の実施形態の一覧画面の例を示す第二の図である。
【０１２５】
本実施形態では、再生不可能と判断されたコンテンツデータ２２１の識別情報の一覧を、再生可能コンテンツデータ２２３の識別情報の一覧が表示される表示領域とは別の表示領域に、選択不可能な状態で表示させても良い。
【０１２６】
本実施形態では、図１１に示すように再生不可能なコンテンツデータ２２１の識別情報の一覧を表示させることで、どのコンテンツデータ２２１が再生不可能であるかをユーザに容易に認識させることができる。
【０１２７】
（第三の実施形態）
以下に図面を参照して本発明の第三の実施形態について説明する。本発明の第三の実施形態は、再生能力情報３３１がネットワーク上のサーバに格納されている点が第一の実施形態と相違する。よって以下の第三の実施形態の説明では、第一の実施形態との相違点についてのみ説明し、第一の実施形態と同様の機能構成を有するものには第一の実施形態の説明で用いた符号と同様の符号を付与し、その説明を省略する。
【０１２８】
図１２は、第三の実施形態の表示システムが有する各装置の機能構成の一例を示す図である。
【０１２９】
本実施形態の表示システム１００Ａは、情報端末２００Ａと、表示装置３００Ａと、再生能力情報提供サーバ４００とを有する。
【０１３０】
本実施形態では、再生能力情報提供サーバ４００に、表示装置３００Ａの機種情報と再生能力情報３３１とが対応付けられた再生能力情報テーブル４１０が格納されている。
【０１３１】
本実施形態の再生能力情報提供サーバ４００は、ネットワーク上に存在しており、情報端末２００Ａからの再生能力情報３３１の取得要求に応じて再生能力情報３３１を情報端末２００Ａに提供する。
【０１３２】
本実施形態の情報端末２００Ａには、選択制御プログラム２１０Ａがインストールされており、再生能力情報取得部２１１Ａと、機種情報取得部２１７を有する。本実施形態の機種情報取得部２１７は、表示装置３００Ａに機種情報の取得要求を行い、表示装置３００Ａから機種情報を取得する。
【０１３３】
また本実施形態の表示装置３００Ａには、再生プログラム３１０Ａがインストールされており、機種情報送信部３１１Ａを有する。また本実施形態の表示装置３００Ａは、記憶領域３３０Ａを有する。記憶領域３３０Ａには表示装置３００Ａの機種情報が格納されている。本実施形態の機種情報とは、例えば表示装置３００Ａを識別する機種名や、製品識別情報等であり、表示装置３００Ａに予め設定された情報である。
【０１３４】
本実施形態の機種情報送信部３１１Ａは、情報端末２００Ａから機種情報の取得要求を受けて、記憶領域３３０Ａに格納された機種情報を読み出し、機種情報送信部３１１Ａによりこの機種情報を情報端末２００Ａへ送信する。
【０１３５】
本実施形態の表示システム１００Ａにおいて、情報端末２００Ａは、例えばコンテンツデータ２２１の一覧表示要求を受けると、機種情報取得部２１７により表示装置３００Ａの機種情報を取得する。そして情報端末２００Ａは、再生能力情報取得部２１１Ａにより、取得した機種情報と共に、再生能力情報３３１の取得要求を再生能力情報提供サーバ４００に送信する。
【０１３６】
再生能力情報提供サーバ４００は、再生能力情報テーブル４１０を参照し、情報端末２００Ａから送信された機種情報と対応した再生能力情報３３１を情報端末２００Ａへ送信する。
【０１３７】
情報端末２００Ａは、再生能力情報３３１を取得すると、再生可否判断部２１２による処理を実行する。
【０１３８】
以上、各実施形態に基づき本発明の説明を行ってきたが、上記実施形態に示した要件に本発明が限定されるものではない。これらの点に関しては、本発明の主旨をそこなわない範囲で変更することができ、その応用形態に応じて適切に定めることができる。
【符号の説明】
【０１３９】
１００、１００Ａ  表示システム
２００、２００Ａ  情報端末
２１０、２１０Ａ  選択制御プログラム
２２０  記憶領域
２１１、２１１Ａ  再生能力情報取得部
２１２  再生可否判断部
２１３  表示制御部
２１４  入力受付部
２１５  再生制御情報生成部
２１６  送信部
２１７  機種情報取得部
２２１  コンテンツデータ
２２２  設定項目情報
２２３  再生可能コンテンツデータ
３００、３００Ａ  表示装置
３１０、３１０Ａ  再生プログラム
３１１  再生能力情報送信部
３２０  表示制御部
３３１  再生能力情報
３３２  再生コンテンツデータ
３３３  再生制御情報
【先行技術文献】
【特許文献】
【０１４０】
【特許文献１】特開２０１０−２３２７６０号公報
【図１】
2015050631.tif 000003
【図２】
2015050631.tif 000004
【図３】
2015050631.tif 000005
【図４】
2015050631.tif 000006
【図５】
2015050631.tif 000007
【図６】
2015050631.tif 000008
【図７】
2015050631.tif 000009
【図８】
2015050631.tif 000010
【図９】
2015050631.tif 000011
【図１０】
2015050631.tif 000012
【図１１】
2015050631.tif 000013
【図１２】
2015050631.tif 000014